(57)【要約】【課題】移動局が複数の無線基地局と並列に通信可能な無線通信システムで、一部の伝送経路のデータ伝送を停止させた場合でもメイン経路の変更を迅速に行えるようにする。【解決手段】通信装置１は、移動局２が無線基地局３，４，５に並列に無線送信したデータを受信して集約する通信装置であり、通信部１ａおよび制御部１ｂを有する。通信部１ａは、無線基地局２，３，４から通信装置１への各伝送経路についてデータチャネルおよび制御チャネルを含む通信チャネルを設定する。制御部１ｂは、通信チャネルが設定された複数の伝送経路からメイン経路を選択し、選択されなかった伝送経路について、データチャネルおよび制御チャネルのうちデータチャネルのみ信号送信を停止させる。【選択図】図１
2009212629.tif 000002
【特許請求の範囲】
【請求項１】
移動局が複数の無線基地局に並列に無線送信したデータを前記複数の無線基地局から受信して集約する通信装置において、
前記複数の無線基地局から前記通信装置への各伝送経路についてデータを受信するためのデータチャネルおよび制御チャネルを含む通信チャネルを設定する通信部と、
前記通信部で前記通信チャネルが設定された複数の伝送経路からメイン経路を選択し、選択されなかった伝送経路に対して、前記データチャネルおよび前記制御チャネルのうち前記データチャネルの信号送信のみを停止させる停止要求を送出する制御部と、
を有することを特徴とする通信装置。
【請求項２】
前記制御部は、前記停止要求を、前記選択しなかった伝送経路に対応する無線基地局と前記通信装置との間でデータの中継を行う中継装置宛てに送出することを特徴とする請求項１記載の通信装置。
【請求項３】
前記制御部は、前記停止要求において、前記データチャネルを切断するよう指示することを特徴とする請求項１記載の通信装置。
【請求項４】
前記制御部は、前記停止要求において、前記データチャネルの割り当て帯域をゼロに設定するよう指示することを特徴とする請求項１記載の通信装置。
【請求項５】
前記制御部は、前記データチャネルの流量が所定の閾値を超えているときのみ前記停止要求を送出することを特徴とする請求項１記載の通信装置。
【請求項６】
移動局が複数の無線基地局に並列に無線送信したデータを受信して集約する通信装置と前記複数の無線基地局の少なくとも一部との間でデータの中継を行う中継装置において、
前記通信装置にデータを転送するためのデータチャネルおよび制御チャネルを含む通信チャネルを設定する通信部と、
前記通信部が前記通信チャネルを設定した後に前記通信装置から停止要求を受信すると、前記データチャネルおよび前記制御チャネルのうち前記データチャネルの信号送信のみを停止させる制御部と、
を有することを特徴とする中継装置。
【請求項７】
移動局との間で無線通信を行う複数の無線基地局と前記移動局が前記複数の無線基地局に並列に送信したデータを受信して集約する通信装置とを備える無線通信システムにて前記複数の無線基地局の少なくとも一部として用いられる無線基地局において、
前記移動局から受信したデータを前記通信装置に転送するためのデータチャネルおよび制御チャネルを含む通信チャネルを設定する通信部と、
前記通信部が前記通信チャネルを設定した後に前記通信装置から停止要求を受信すると、前記データチャネルおよび前記制御チャネルのうち前記データチャネルの信号送信のみを停止させる制御部と、
を有することを特徴とする無線基地局。
【請求項８】
移動局との間で無線通信を行う複数の無線基地局と前記移動局が前記複数の無線基地局に並列に送信したデータを受信して集約する通信装置とを備える無線通信システムの通信方法において、
前記複数の無線基地局から前記通信装置への各伝送経路について前記通信装置がデータを受信するためのデータチャネルおよび制御チャネルを含む通信チャネルを設定し、
前記通信チャネルが設定された複数の伝送経路からメイン経路を選択し、
選択されなかった伝送経路について、前記データチャネルおよび前記制御チャネルのうち前記データチャネルのみ前記通信装置への信号送信を停止させる、
ことを特徴とする通信方法。
【発明の詳細な説明】
【技術分野】
【０００１】
本発明は通信装置、中継装置、無線基地局および通信方法に関し、特に移動局が複数の無線基地局と並列に通信可能な無線通信システムで用いられる通信装置、中継装置、無線基地局および通信方法に関する。
【背景技術】
【０００２】
現在、移動通信システムの分野では、多元接続方式としてＣＤＭＡ（Code Division Multiple Access）を採用した通信システムが運用されている。そして、より高速・大容量の無線通信を実現すべく、３ＧＰＰ（3rd Generation Partnership Project）などの標準化会議では、現行の移動通信システムの改良や次世代移動通信システムについて盛んに議論が行われている。
【０００３】
このような移動通信システムには、移動局が複数の無線基地局と同時に通信可能なものがある。特に、上り方向（移動局から無線基地局へ向かう方向）の通信品質を向上させるために、移動局が同一内容のデータを複数の無線基地局に並列に送信可能なものもある。この場合、複数の無線基地局を統括する中継装置（無線ネットワーク制御装置や基地局制御装置と呼ばれる装置）には、移動局と中継装置との間の伝送経路（ブランチ）が互いに異なる同一内容の複数のデータが流入することになる。中継装置は、各ブランチの通信品質に応じて流入したデータの選択合成を行い、上位ネットワーク（コアネットワーク）側にデータを転送する。
【０００４】
ここで、中継装置に流入したデータのうち選択されなかったデータは、中継装置で破棄されることになる。すなわち、複数あるブランチのうち一部のブランチのみで十分な通信品質を確保できる場合は、そのブランチ（メインブランチ）から流入するデータのみが選択され、他のブランチから流入するデータは中継装置で全て破棄されることになる。これは、通信回線の伝送効率を大きく低下させる原因となる。また、中継装置の処理負荷も増大し、伝送遅延やパケットロスの原因ともなる。
【０００５】
これに対し、各無線基地局と移動局との間の無線通信品質を測定し、無線通信品質が良好でない無線基地局と中継装置との間の通信を停止するよう制御する方法がある（例えば、特許文献１参照）。この方法によれば、無線基地局から中継装置に伝送されるデータを削減することができる。
【特許文献１】特表２００７−５０２５５９号公報
【発明の開示】
【発明が解決しようとする課題】
【０００６】
しかし、上記特許文献１に記載の技術では、メインブランチの通信品質低下時やハンドオーバ時など、メインブランチを変更する必要があるとき、変更処理に遅延が生じるという問題がある。なぜならば、メインブランチ以外のブランチは通信停止状態にあるため、中継装置はそれらブランチの最新の通信状態を検知できず、一旦全てのブランチの通信を再開させるといった処理が必要となるからである。これは、通信品質を低下させる原因となりうる。
【０００７】
本件はこのような点に鑑みてなされたものであり、一部の伝送経路のデータ伝送を停止させた場合でもメイン経路の変更を迅速に行うことが可能な通信装置、中継装置、無線基地局および通信方法を提供することを目的とする。
【課題を解決するための手段】
【０００８】
上記課題を解決するために、移動局が複数の無線基地局に並列に無線送信したデータを当該複数の無線基地局から受信して集約する通信装置が提供される。この通信装置は、通信部および制御部を有する。通信部は、複数の無線基地局から通信装置への各伝送経路についてデータを受信するためのデータチャネルおよび制御チャネルを含む通信チャネルを設定する。制御部は、通信部で通信チャネルが設定された複数の伝送経路からメイン経路を選択し、選択されなかった伝送経路に対して、データチャネルおよび制御チャネルのうちデータチャネルの信号送信のみを停止させる停止要求を送出する。
【０００９】
このような通信装置によれば、通信部により、複数の無線基地局から通信装置への各伝送経路についてデータを受信するためのデータチャネルおよび制御チャネルを含む通信チャネルが設定される。そして、制御部により、複数の伝送経路からメイン経路が選択され、選択されなかった伝送経路に対して、データチャネルの信号送信のみを停止させる停止要求が送出される。
【００１０】
また、上記課題を解決するために、移動局が複数の無線基地局に並列に無線送信したデータを受信して集約する通信装置と当該複数の無線基地局の少なくとも一部との間でデータの中継を行う中継装置が提供される。この中継装置は、通信部および制御部を有する。通信部は、通信装置にデータを転送するためのデータチャネルおよび制御チャネルを含む通信チャネルを設定する。制御部は、通信部が通信チャネルを設定した後に通信装置から停止要求を受信すると、データチャネルおよび制御チャネルのうちデータチャネルの信号送信のみを停止させる。
【００１１】
このような中継装置によれば、通信部により、通信装置にデータを転送するためのデータチャネルおよび制御チャネルを含む通信チャネルが設定される。そして、通信チャネルが設定された後に通信装置から停止要求があると、制御部により、データチャネルの信号送信のみが停止される。
【００１２】
また、上記課題を解決するために、移動局との間で無線通信を行う複数の無線基地局と移動局が複数の無線基地局に並列に送信したデータを受信して集約する通信装置とを備える無線通信システムにて複数の無線基地局の少なくとも一部として用いられる無線基地局が提供される。この無線基地局は、通信部および制御部を有する。通信部は、移動局から受信したデータを通信装置に転送するためのデータチャネルおよび制御チャネルを含む通信チャネルを設定する。制御部は、通信部が通信チャネルを設定した後に通信装置から停止要求を受信すると、データチャネルおよび制御チャネルのうちデータチャネルの信号送信のみを停止させる。
【００１３】
このような無線基地局によれば、通信部により、データを通信装置に転送するためのデータチャネルおよび制御チャネルを含む通信チャネルが設定される。そして、通信チャネルが設定された後に通信装置から停止要求があると、制御部により、データチャネルの信号送信のみが停止される。
【００１４】
また、上記課題を解決するために、移動局との間で無線通信を行う複数の無線基地局と移動局が複数の無線基地局に並列に送信したデータを受信して集約する通信装置とを備える無線通信システムの通信方法が提供される。この通信方法では、まず、複数の無線基地局から通信装置への各伝送経路について通信装置がデータを受信するためのデータチャネルおよび制御チャネルを含む通信チャネルを設定する。次に、通信チャネルが設定された複数の伝送経路からメイン経路を選択する。そして、選択されなかった伝送経路について、データチャネルおよび制御チャネルのうちデータチャネルのみ通信装置への信号送信を停止させる。
【００１５】
このような通信方法によれば、まず、複数の無線基地局から通信装置への各伝送経路についてデータを受信するためのデータチャネルおよび制御チャネルを含む通信チャネルが設定される。次に、複数の伝送経路からメイン経路が選択される。そして、選択されなかった伝送経路について、データチャネルおよび制御チャネルのうちデータチャネルのみ通信装置への信号送信が停止される。
【発明の効果】
【００１６】
上記通信装置、中継装置、無線基地局もしくは通信方法によれば、一部の伝送経路のデータ伝送を停止させた場合でもメイン経路の変更を迅速に行うことが可能となる。
【発明を実施するための最良の形態】
【００１７】
以下、本実施の形態を図面を参照して詳細に説明する。
図１は、本実施の形態の概要を示す図である。図１に示す無線通信システムは、移動局が複数の無線基地局に並列にデータを無線送信することで通信品質を向上させることができる通信システムである。この無線通信システムは、通信装置１、移動局２および無線基地局３，４，５を有する。
【００１８】
通信装置１と無線基地局３，４，５とはネットワークで接続されている。通信装置１と無線基地局３，４，５との間には、図示しない中継装置が介在していてもよい。移動局２と無線基地局３，４，５との間では、無線通信が行われる。このとき、移動局２は、無線基地局３，４，５に対して並列にデータを送信することができる。移動局２が送信したデータは、無線基地局３，４，５を経由して通信装置１で集約される。
【００１９】
通信装置１は、通信部１ａおよび制御部１ｂを有する。
通信部１ａは、無線基地局３，４，５から通信装置１への各伝送経路について、移動局２の送信データを受信するために必要な通信チャネルを設定する。通信チャネルには、データチャネルと制御チャネルとが含まれる。データチャネルでは、移動局２が送信したユーザデータが伝送される。制御チャネルでは、通信品質を示す情報を含む各種制御情報が伝送される。通信チャネルの設定は、移動局２のデータ送信開始時に行われると共に、その後の移動局２の移動に伴って適宜行われる。
【００２０】
制御部１ｂは、通信部１ａで通信チャネルが設定された複数の伝送経路（図１の例では３つの伝送経路）からデータを受信すべきメイン経路を選択する。例えば、最も通信品質が良好な伝送経路がメイン経路として選ばれる。メイン経路は、１つであってもよいし、複数であってもよい。そして、制御部１ｂは、メイン経路として選択されなかった伝送経路に対して、データチャネルと制御チャネルのうち、データチャネルのみ信号送信を停止するよう停止要求を送出する。
【００２１】
この結果、一部の伝送経路について、通信装置１への制御チャネル信号の流入は継続しつつデータチャネル信号の流入が停止される。なお、データチャネル信号の送信は、無線基地局３，４，５で停止してもよいし、通信装置１と無線基地局３，４，５との間に設置された中継装置で停止してもよい。
【００２２】
図１の例では、まず通信装置１の通信部１ａが、無線基地局３，４，５との間の各伝送経路についてデータチャネルおよび制御チャネルを設定する。その後、通信装置１の制御部１ｂが、通信品質に基づいて無線基地局４との間の伝送経路をメイン経路と判断し、無線基地局３，５との間の各伝送経路に対して停止要求を送出する。すると、無線基地局３，５または通信装置１と無線基地局３，５との間に位置する中継装置が、データチャネル信号の送信を停止する。この結果、無線基地局４から通信装置１へはデータチャネル信号と制御チャネル信号との両方が送信され、無線基地局３，５から通信装置１へは制御チャネル信号のみ送信される。
【００２３】
このような無線通信システムによれば、通信装置１の通信部１ａにより、無線基地局３，４，５から通信装置１への各伝送経路についてデータを受信するためのデータチャネルおよび制御チャネルを含む通信チャネルが設定される。そして、通信装置１の制御部１ｂにより、複数の伝送経路からメイン経路が選択され、選択されなかった伝送経路に対して、データチャネルの信号送信のみを停止させる停止要求が送出される。
【００２４】
これにより、一部の伝送経路について通信装置１へのデータ流入を停止することができ、通信回線の伝送効率低下を防止できると共に中継装置の処理負荷が軽減される。また、この場合でも、制御チャネルで伝送される各伝送経路の制御情報に基づいて、メイン経路の変更を適切かつ迅速に行うことが可能となる。
【００２５】
以下、本実施の形態の具体的な内容を図面を参照して詳細に説明する。
図２は、本実施の形態のシステム構成を示す図である。本実施の形態に係る無線通信システムは、移動局が無線基地局経由で他の移動局と通信を行うものである。この無線通信システムは、移動局１００、無線基地局２００，２００ａ，２００ｂ，２００ｃ、無線ネットワーク制御装置３００，３００ａおよびコアネットワーク４００を有する。
【００２６】
無線基地局２００，２００ａと無線ネットワーク制御装置３００、無線基地局２００ｂ，２００ｃと無線ネットワーク制御装置３００ａ、無線ネットワーク制御装置３００と無線ネットワーク制御装置３００ａとは、それぞれ有線で接続されている。無線ネットワーク制御装置３００はコアネットワーク４００に接続されている。
【００２７】
移動局１００は、無線基地局２００，２００ａ，２００ｂ，２００ｃと無線通信が可能な無線端末装置である。移動局１００は、複数の無線基地局と並列に無線通信が可能である。本実施の形態では、移動局１００が３つの無線基地局２００，２００ａ，２００ｂと並列に無線通信を行う場合、すなわち、移動局１００と無線ネットワーク制御装置３００との間に３つのブランチが形成される場合を考える。移動局１００は、上りリンクを用いてデータを送信する場合、通信品質を向上させるため、同一内容のデータを無線基地局２００，２００ａ，２００ｂに並列に送信することができる。
【００２８】
無線基地局２００，２００ａ，２００ｂ，２００ｃは、移動局１００と無線通信を行う通信装置である。無線基地局２００，２００ａは、移動局１００から無線でデータを受信すると、受信データを無線ネットワーク制御装置３００に送信する。また、無線基地局２００ｂ，２００ｃは、移動局１００から無線でデータを受信すると、受信データを無線ネットワーク制御装置３００ａに送信する。ただし、無線基地局２００，２００ａ，２００ｂ，２００ｃは、無線ネットワーク制御装置３００から送信停止の指示を受けたときは、受信データの送信を行わない。
【００２９】
無線ネットワーク制御装置３００，３００ａは、配下にある無線基地局を制御すると共に、データ転送を行う中継装置である。無線ネットワーク制御装置３００，３００ａは、ＲＮＣ（Radio Network Controller）やＢＳＣ（Base Station Controller）と呼ばれるものに相当する。以下、無線ネットワーク制御装置３００，３００ａをＲＮＣ３００，３００ａと表記する。
【００３０】
移動局１００の通信開始時には、何れか１つのＲＮＣが移動局１００の送信データを集約するＲＮＣ（サービングＲＮＣ、もしくは、Ｓ−ＲＮＣ）として機能し、他のＲＮＣがサービングＲＮＣにデータを転送するＲＮＣ（ドリフトＲＮＣ、もしくは、Ｄ−ＲＮＣ）として機能する。本実施の形態では、ＲＮＣ３００がサービングＲＮＣ、ＲＮＣ３００ａがドリフトＲＮＣとして機能する場合を考える。
【００３１】
移動局１００のサービングＲＮＣとして機能するＲＮＣ３００は、移動局１００との間に形成されるブランチを管理する。ＲＮＣ３００は、配下にある無線基地局２００，２００ａおよびＲＮＣ３００ａから移動局１００の送信データを受信し、データの選択合成を行ってコアネットワーク４００に出力する。また、ＲＮＣ３００は、各ブランチの伝送品質を監視し、通信品質に応じて無線基地局２００，２００ａ，２００ｂ，２００ｃおよびＲＮＣ３００ａに対してデータの送信停止を指示する。
【００３２】
移動局１００のドリフトＲＮＣとして機能するＲＮＣ３００ａは、配下にある無線基地局２００ｂ，２００ｃから移動局１００の送信データを受信し、ＲＮＣ３００に転送する。ただし、ＲＮＣ３００ａは、ＲＮＣ３００から送信停止の指示を受けたときは、受信データの転送を行わない。
【００３３】
コアネットワーク４００は、ＲＮＣ間で伝送データの中継を行うネットワークである。コアネットワーク４００内には、回線交換機４１０およびパケット交換機４２０が設けられている。回線交換機４１０は、音声交換（ＣＳ：Circuit Switching）呼を処理する交換機である。パケット交換機４２０は、パケット交換（ＰＳ：Packet Switching）呼を処理する交換機である。回線交換機４１０およびパケット交換機４２０は、それぞれＣＳ呼およびＰＳ呼のトラフィックを制御する。
【００３４】
このような無線通信システムは、３ＧＰＰで標準化されたＨＳＵＰＡ（High Speed Uplink Packet Access）機能を備えるＣＤＭＡ通信システムとして実現することができる。以下では、移動局１００がデータ送信に利用する、無線基地局２００，２００ａとＲＮＣ３００との間の回線および無線基地局２００ｂとＲＮＣ３００ａとの間の回線をＩｕｂ回線と呼び、ＲＮＣ３００とＲＮＣ３００ａとの間の回線をＩｕｒ回線と呼び、ＲＮＣ３００とコアネットワーク４００との間の回線をＩｕ回線と呼ぶこととする。
【００３５】
なお、図２では、ＲＮＣ３００とＲＮＣ３００ａとはコアネットワーク４００を経由せずに直接接続されていることとしたが、コアネットワーク４００経由でＩｕｒ回線が形成されるようにしてもよい。
【００３６】
次に、無線基地局２００およびＲＮＣ３００のモジュール構成について説明する。なお、無線基地局２００ａ，２００ｂ，２００ｃは無線基地局２００と同様のモジュール構成によって実現でき、ＲＮＣ３００ａはＲＮＣ３００と同様のモジュール構成によって実現できる。
【００３７】
図３は、無線基地局の機能を示すブロック図である。無線基地局２００は、送受信アンテナ２１０、無線通信部２２０、接続制御部２３０、呼制御部２４０およびＩｕｂ通信部２５０を有する。
【００３８】
送受信アンテナ２１０は、送信・受信兼用の無線アンテナである。送受信アンテナ２１０は、移動局１００から受信する無線信号を無線通信部２２０に出力する。また、送受信アンテナ２１０は、無線通信部２２０から取得する送信信号を無線送信する。
【００３９】
無線通信部２２０は、呼制御部２４０の制御のもと、移動局１００との無線通信に用いる無線リソース（時間帯や周波数帯）を管理し、移動局１００と通信を行う。無線通信部２２０は、送受信アンテナ２１０から取得する受信信号を復調・復号し、ユーザデータおよび制御情報を抽出して接続制御部２３０に出力する。また、無線通信部２２０は、移動局１００に送信するユーザデータおよび制御情報を符号化・変調し、送信信号として送受信アンテナ２１０に出力する。
【００４０】
接続制御部２３０は、無線区間およびＩｕｂ区間の通信の全体的管理を行う。接続制御部２３０は、ＲＮＣ３００からＩｕｂ通信部２５０経由で、接続の設定・解放に関する要求を取得すると、取得した要求を呼制御部２４０に通知する。そして、接続制御部２３０は、呼制御部２４０による接続の設定状況に応じて、無線通信部２２０とＩｕｂ通信部２５０との間で、必要なユーザデータおよび制御情報を中継する。
【００４１】
呼制御部２４０は、移動局１００とＲＮＣ３００とがデータ送受信を行うための接続を管理する。呼制御部２４０は、接続制御部２３０から通知される要求に基づいて、Ｉｕｂ区間の接続の設定・解放を行う。また、呼制御部２４０は、接続制御部２３０から通知される要求に基づいて、移動局１００と通信に用いる無線リソースの設定・解放を無線通信部２２０に指示する。
【００４２】
Ｉｕｂ通信部２５０は、ＲＮＣ３００とＩｕｂ区間の通信を行う。Ｉｕｂ通信部２５０は、接続制御部２３０から取得するユーザデータおよび制御情報を、呼制御部２４０で設定される接続を用いてＲＮＣ３００に送信する。また、Ｉｕｂ通信部２５０は、ＲＮＣ３００から取得するユーザデータおよび制御情報を接続制御部２３０に出力する。
【００４３】
図４は、ＲＮＣの機能を示すブロック図である。ＲＮＣ３００は、Ｉｕｂ通信部３１０、ブランチ制御部３２０、Ｉｕ通信部３３０、Ｉｕｒ通信部３３５、ブランチデータ記憶部３４０、呼制御部３５０、モードデータ記憶部３６０、モード制御部３７０、パケット監視部３８０および流入規制部３９０を有する。
【００４４】
Ｉｕｂ通信部３１０は、ＲＮＣ３００の配下にある無線基地局２００，２００ａとＩｕｂ区間の通信を行う。Ｉｕｂ通信部３１０は、ブランチ制御部３２０から取得するユーザデータおよび制御情報を、呼制御部３５０で設定される接続を用いて無線基地局２００，２００ａに送信する。また、Ｉｕｂ通信部３１０は、無線基地局２００，２００ａから取得するユーザデータおよび制御情報をブランチ制御部３２０に出力する。
【００４５】
ブランチ制御部３２０は、Ｉｕｂ区間、Ｉｕ区間およびＩｕｒ区間の通信の全体的管理を行う。ブランチ制御部３２０は、Ｉｕｂ通信部３１０およびＩｕｒ通信部３３５から取得する各種制御情報を呼制御部３５０に通知する。そして、ブランチ制御部３２０は、呼制御部３５０によるブランチの設定状況に応じて、Ｉｕｂ通信部３１０、Ｉｕ通信部３３０およびＩｕｒ通信部３３５の間で、必要なユーザデータおよび制御情報を中継する。このとき、ブランチ制御部３２０は、複数のブランチから同一内容のユーザデータを取得した場合は、ユーザデータの選択合成を行ってＩｕ通信部３３０に出力する。
【００４６】
Ｉｕ通信部３３０は、コアネットワーク４００内の回線交換機４１０およびパケット交換機４２０とＩｕ区間の通信を行う。Ｉｕ通信部３３０は、ブランチ制御部３２０から取得するユーザデータおよび制御情報を、コアネットワーク４００側に出力する。また、Ｉｕ通信部３３０は、コアネットワーク４００側から受信するユーザデータおよび制御情報をブランチ制御部３２０に出力する。
【００４７】
Ｉｕｒ通信部３３５は、ＲＮＣ３００ａとＩｕｒ区間の通信を行う。Ｉｕｒ通信部３３５は、ブランチ制御部３２０から取得するユーザデータおよび制御情報を、呼制御部３５０で設定される接続を用いてＲＮＣ３００ａに送信する。また、Ｉｕｒ通信部３３５は、ＲＮＣ３００ａから取得するユーザデータおよび制御情報をブランチ制御部３２０に出力する。ただし、Ｉｕｒ通信部３３５は、流入規制部３９０から送信停止の指示があると、Ｉｕｒ区間のユーザデータの送信を停止する。
【００４８】
ブランチデータ記憶部３４０には、移動局１００とＲＮＣ３００と間の通信に用いるブランチの設定状況を示す情報が格納されている。ブランチは、データ送受信を行う移動局毎に１または複数設定される。ブランチデータ記憶部３４０内の情報は、呼制御部３５０によって適宜、追加・更新・削除される。
【００４９】
呼制御部３５０は、ブランチ制御部３２０から取得する制御情報により、移動局１００と無線基地局２００，２００ａ，２００ｂ，２００ｃそれぞれとの間の無線通信品質を特定する。そして、最新の無線通信品質に応じてブランチの追加・削除を行う。また、呼制御部３５０は、移動局１００について複数のブランチが設定された場合には、ユーザデータの流入を許可するメインブランチを選択する。例えば、最も通信品質が良好なブランチをメインブランチとして選択する。また、呼制御部３５０は、必要に応じて、メインブランチとして選択しなかったブランチからのユーザデータの流入を停止するよう制御する。
【００５０】
モードデータ記憶部３６０は、メインブランチとして選択されなかったブランチからのユーザデータの流入を抑制する方法（制御モード）を定義した情報が格納されている。ＲＮＣ３００が適用可能な制御モードは複数あり、何れの制御モードを適用するかを示す情報が、ＲＮＣ３００の管理者によって予めモードデータ記憶部３６０に登録されている。
【００５１】
モード制御部３７０は、呼制御部３５０から現在適用されている制御モードの問い合わせがあると、モードデータ記憶部３６０から制御モードの設定情報を読み込み、呼制御部３５０に回答する。
【００５２】
パケット監視部３８０は、Ｉｕｂ通信部３１０およびＩｕｒ通信部３３５のユーザデータの受信状況を監視する。そして、パケット監視部３８０は、Ｉｕｂ通信部３１０またはＩｕｒ通信部３３５のデータ受信量が所定の閾値を超えると、流入規制部３９０にＩｕｂ回線またはＩｕｒ回線の流入超過を通知する。
【００５３】
流入規制部３９０は、パケット監視部３８０から流入超過の通知を取得すると、その通知を呼制御部３５０に出力する。また、流入規制部３９０は、呼制御部３５０からＩｕｒ回線の規制発動の指示があると、Ｉｕｒ通信部３３５にユーザデータの送信停止を指示する。
【００５４】
図５は、ブランチテーブルのデータ構造を示す図である。図５に示すブランチテーブル３４１は、ＲＮＣ３００のブランチデータ記憶部３４０に格納されている。ブランチテーブルは移動局毎に作成されるものであり、ブランチテーブル３４１は移動局１００に対応する。ブランチテーブル３４１には、識別子を示す項目およびフラグを示す項目が設けられている。各項目の横方向に並べられた情報同士が互いに関連付けられて、１つのブランチについての情報が定義される。
【００５５】
識別子を示す項目には、各ブランチを識別する識別情報が設定される。識別子は、ブランチを識別するために、ＲＮＣ３００内のモジュールで共通に使用される。フラグを示す項目には、そのブランチがメインブランチか否かを示す情報が設定される。ＯＮはメインブランチであることを意味し、ＯＦＦはメインブランチでないことを意味する。例えば、識別子がブランチＩＤ＃１、フラグがＯＮという情報がブランチテーブル３４１に登録される。
【００５６】
ブランチテーブル３４１には、１つ以上のレコード（テーブルの１行の情報）が登録されている。ブランチテーブル３４１は、呼制御部３５０によって適宜更新される。すなわち、新たにブランチが追加されると呼制御部３５０によってレコードが追加され、ブランチが削除されると呼制御部３５０によってレコードが削除される。また、メインブランチが変更されると、呼制御部３５０によってフラグが更新される。
【００５７】
なお、本実施の形態では、メインブランチとして、移動局１００との無線通信品質が最も良好な無線基地局を経由する１つのブランチが選択される場合を考える。この場合、ブランチテーブル３４１の１つのレコードのフラグのみがＯＮに設定され、他のレコードのフラグは全てＯＦＦに設定される。例えば、無線基地局２００を経由するブランチがメインブランチに選択されると、無線基地局２００ａ，２００ｂを経由するブランチはメインブランチに選択されない。
【００５８】
図６は、制御モードテーブルのデータ構造を示す図である。図６に示す制御モードテーブル３６１は、ＲＮＣ３００のモードデータ記憶部３６０に格納されている。制御モードテーブル３６１には、モード名を示す項目およびフラグを示す項目が設けられている。各項目の横方向に並べられた情報同士が互いに関連付けられて、１つの制御モードについての情報が定義される。
【００５９】
モード名を示す項目には、ＲＮＣ３００に適用化可能な制御モードの名前が設定される。フラグを示す項目には、その制御モードが現在適用されているか否かを示す情報が設定される。ＯＮはその制御モードが適用されていることを意味し、ＯＦＦはその制御モードが適用されていないことを意味する。例えば、モード名がＤＴＣＨ切断型、フラグがＯＮという情報が制御モードテーブル３６１に登録される。
【００６０】
制御モードテーブル３６１には、１つ以上のレコードが登録されている。このとき、フラグがＯＮとなる制御モードが必ず１つになるようにレコードが構成されている。制御モードテーブル３６１は、ＲＮＣ３００の管理者によって予めモードデータ記憶部３６０に格納される。
【００６１】
次に、以上のような構成およびデータ構造を備える無線通信システムにおいて実行される処理の詳細を説明する。まず、ブランチの追加・削除処理について説明し、その後、ＲＮＣ３００へのユーザデータの流入を抑制する具体的な処理について説明する。
【００６２】
図７は、ブランチ追加処理の流れを示すシーケンス図である。以下、図７に示す処理をステップ番号に沿って説明する。なお、ここでは、移動局１００とＲＮＣ３００との間には、無線基地局２００を経由するブランチのみが形成されているものとする。
【００６３】
［ステップＳ１１１］（MEASUREMENT REPORT）移動局１００は、無線基地局２００，２００ａ，２００ｂ，２００ｃが出力する既知信号を捕捉し、各無線基地局から移動局１００への無線リンク（下りリンク）の無線通信品質を測定する。そして、移動局１００は、現在のメインブランチ（無線基地局２００を経由するブランチ）を用いて、サービングＲＮＣであるＲＮＣ３００に対し測定結果を制御情報として送信する。
【００６４】
［ステップＳ１１２］（RADIO LINK SETUP REQUEST）ＲＮＣ３００は、無線基地局２００から受信した無線通信品質の測定結果に基づいて、ブランチの追加の要否を決定する。ここでは、ＲＮＣ３００の配下にある無線基地局２００ａを経由するブランチを新たに追加すると決定したとする。すると、ＲＮＣ３００は、無線基地局２００ａに対して、移動局１００についての個別制御チャネル（ＤＣＣＨ：Dedicated Control CHannel）および個別データチャネル（ＤＴＣＨ：Dedicated Traffic CHannel）を含む通信リンクの設定を要求する。ＤＣＣＨは制御情報を伝送するための通信チャネルであり、ＤＴＣＨはユーザデータを伝送するための通信チャネルである。
【００６５】
［ステップＳ１１３］（RADIO LINK SETUP RESPONSE）無線基地局２００ａは、ＲＮＣ３００から受信したリンク設定要求に応答して、Ｉｕｂ回線のＤＣＣＨおよびＤＴＣＨの捕捉（仮設定）を行う。そして、無線基地局２００ａは、ＲＮＣ３００に対してリンク設定完了を応答する。完了応答を受信したＲＮＣ３００は、無線基地局２００ａとの間のＩｕｂ回線の設定を行う。
【００６６】
［ステップＳ１１４］（ESTABLISH REQUEST）ＲＮＣ３００は、無線基地局２００ａに対して、ステップＳ１１３で捕捉されたＤＣＣＨおよびＤＴＣＨを活性化させる（当該チャネルを用いて信号伝送が可能な状態にする）よう要求する。
【００６７】
［ステップＳ１１５］（ESTABLISH CONFIRM）無線基地局２００ａは、ＲＮＣ３００から受信した活性化要求に応答して、ステップＳ１１３で捕捉したＤＣＣＨおよびＤＴＣＨを活性化させる。そして、無線基地局２００ａは、ＲＮＣ３００に対して活性化完了を応答する。完了応答を受信したＲＮＣ３００は、ブランチの追加設定を行うと共に、追加したブランチとステップＳ１１３で設定したＩｕｂ回線とを対応付ける。
【００６８】
［ステップＳ１１６］（ACTIVE SET UPDATE）ＲＮＣ３００は、無線基地局２００経由で移動局１００に対して、無線基地局２００ａ経由のブランチを追加した旨を通知する。
［ステップＳ１１７］（ACTIVE SET UPDATE COMPLETE）移動局１００は、無線基地局２００経由でＲＮＣ３００に対して、ブランチ追加通知を受信した旨を応答する。
【００６９】
［ステップＳ１１８］（MEASUREMENT CONTROL）ＲＮＣ３００は、無線基地局２００経由で移動局１００に対して、無線基地局２００ａについての無線通信品質の継続的な測定を開始するよう要求する。
【００７０】
このようにして、ＲＮＣ３００は、移動局１００から取得する品質測定報告に基づいて、ブランチを新たに追加すべきか否か判断する。そして、ＲＮＣ３００は、追加すべきブランチが経由する無線基地局２００ａとの間で、ＤＣＣＨおよびＤＴＣＨの設定を行う。これにより、ＲＮＣ３００と無線基地局２００ａとの間に接続が確立されて、ＲＮＣ３００と移動局１００とが無線基地局２００ａ経由でデータ送受信を行えるようになる。
【００７１】
図８は、ブランチ削除処理の流れを示すシーケンス図である。以下、図８に示す処理をステップ番号に沿って説明する。なお、ここでは、移動局１００とＲＮＣ３００との間には、無線基地局２００経由するブランチと無線基地局２００ａを経由するブランチとが形成されており、無線基地局２００を経由するブランチがメインブランチとして選択されているものとする。
【００７２】
［ステップＳ１２１］（MEASUREMENT REPORT）移動局１００は、無線基地局２００，２００ａが出力する既知信号を捕捉し、各下りリンクの無線通信品質を測定する。そして、移動局１００は、現在のメインブランチ（無線基地局２００を経由するブランチ）を用いて、サービングＲＮＣであるＲＮＣ３００に対し測定結果を制御情報として送信する。
【００７３】
［ステップＳ１２２］（ACTIVE SET UPDATE）ＲＮＣ３００は、無線基地局２００から受信した無線通信品質の測定結果に基づいて、ブランチの削除の要否を決定する。ここでは、移動局１００と無線基地局２００ａとの間の無線通信品質が低下し、無線基地局２００ａを経由するブランチを削除すると決定したとする。すると、ＲＮＣ３００は、無線基地局２００経由で移動局１００に対して、ブランチの削除開始を通知する。
【００７４】
［ステップＳ１２３］（ACTIVE SET UPDATE COMPLETE）移動局１００は、無線基地局２００経由でＲＮＣ３００に対して、ブランチ削除通知を受信した旨を応答する。
［ステップＳ１２４］（MEASUREMENT CONTROL）ＲＮＣ３００は、無線基地局２００経由で移動局１００に対して、無線基地局２００ａについての無線通信品質の継続的な測定を停止するよう要求する。
【００７５】
［ステップＳ１２５］（RADIO LINK DELITION REQUEST）ＲＮＣ３００は、無線基地局２００ａに対して、ＤＣＣＨおよびＤＴＣＨの停止を要求する。
［ステップＳ１２６］（RADIO LINK DELITION RESPONSE）無線基地局２００ａは、ＲＮＣ３００から受信した停止要求に応答して、Ｉｕｂ回線のＤＣＣＨおよびＤＴＣＨの信号送信を停止する。そして、無線基地局２００ａは、ＲＮＣ３００に対して停止完了を応答する。
【００７６】
［ステップＳ１２７］（RLEASE REQUEST）ＲＮＣ３００は、無線基地局２００ａに対して、ステップＳ１２６で停止されたＤＴＣＨの切断を要求する。
［ステップＳ１２８］（RLEASE CONFIRM）無線基地局２００ａは、ＲＮＣ３００から受信したＤＴＣＨ切断要求に応答して、Ｉｕｂ回線のＤＴＣＨの設定を解除してＤＴＣＨを切断する。そして、無線基地局２００ａは、ＲＮＣ３００に対して切断完了を応答する。完了応答を受信したＲＮＣ３００は、無線基地局２００ａとの間のＤＴＣＨの設定を解除する。
【００７７】
［ステップＳ１２９］（RLEASE REQUEST）ＲＮＣ３００は、無線基地局２００ａに対して、ステップＳ１２６で停止されたＤＣＣＨの切断を要求する。
［ステップＳ１３０］（RLEASE CONFIRM）無線基地局２００ａは、ＲＮＣ３００から受信したＤＣＣＨ切断要求に応答して、Ｉｕｂ回線のＤＣＣＨの設定を解除してＤＣＣＨを切断する。そして、無線基地局２００ａは、ＲＮＣ３００に対して切断完了を応答する。完了応答を受信したＲＮＣ３００は、無線基地局２００ａとの間のＤＣＣＨの設定を解除すると共に、ブランチの削除設定を行う。
【００７８】
このようにして、ＲＮＣ３００は、移動局１００から取得する品質測定報告に基づいて、設定された複数のブランチの一部を削除すべきか否かを判断する。そして、ＲＮＣ３００は、削除すべきブランチが経由する無線基地局２００ａとの間のＤＴＣＨを切断し、その後、ＤＣＣＨを切断する。これにより、ＲＮＣ３００と無線基地局２００ａとの間の接続が解放され、ブランチが削除される。
【００７９】
上記では図７，８に示したシーケンス図に基づいて、サービングＲＮＣの配下の無線基地局を経由するブランチを追加・削除する処理の流れを説明したが、次に、ドリフトＲＮＣの配下の無線基地局を経由するブランチを追加・削除する処理の流れを説明する。
【００８０】
図９は、Ｄ−ＲＮＣ経由のブランチ追加処理の流れを示すシーケンス図である。以下、図９に示す処理をステップ番号に沿って説明する。なお、ここでは、移動局１００とＲＮＣ３００との間には、無線基地局２００を経由するブランチのみが形成されているものとする。
【００８１】
［ステップＳ１３１］（MEASUREMENT REPORT）移動局１００は、無線基地局２００，２００ａ，２００ｂ，２００ｃが出力する既知信号を捕捉し、各下りリンクの無線通信品質を測定する。そして、移動局１００は、現在のメインブランチ（無線基地局２００を経由するブランチ）を用いて、サービングＲＮＣであるＲＮＣ３００に対し測定結果を制御情報として送信する。
【００８２】
［ステップＳ１３２］（CONNECTION SETUP REQUEST）ＲＮＣ３００は、無線基地局２００から受信した無線通信品質の測定結果に基づいて、ブランチの追加の要否を決定する。ここでは、ドリフトＲＮＣであるＲＮＣ３００ａの配下にある無線基地局２００ｂを経由するブランチを新たに追加すると決定したとする。すると、ＲＮＣ３００は、ＲＮＣ３００ａとの間のＩｕｒの設定を行う。そして、ＲＮＣ３００は、ＲＮＣ３００ａに対してＩｕｒ回線の捕捉を要求する。
【００８３】
［ステップＳ１３３］（CONNECTION SETUP RESPONSE）ＲＮＣ３００ａは、ＲＮＣ３００から受信した捕捉要求に応答して、Ｉｕｒ回線のＤＣＣＨおよびＤＴＣＨの捕捉（仮設定）を行う。そして、ＲＮＣ３００ａは、ＲＮＣ３００に対して捕捉完了を応答する。
【００８４】
［ステップＳ１３４］（RADIO LINK SETUP REQUEST）ＲＮＣ３００は、ＲＮＣ３００ａに対して、無線基地局２００ｂ経由で移動局１００とＲＮＣ３００とがデータ送受信を行うためのＤＣＣＨおよびＤＴＣＨを含む通信リンクの設定を要求する。リンク設定要求を受信したＲＮＣ３００ａは、無線基地局２００ｂとの間のＩｕｂ回線の設定を行う。
【００８５】
［ステップＳ１３５］（RADIO LINK SETUP REQUEST）ＲＮＣ３００ａは、無線基地局２００ｂに対して、移動局１００についてのＤＣＣＨおよびＤＴＣＨを含む通信リンクの設定を要求する。
【００８６】
［ステップＳ１３６］（RADIO LINK SETUP RESPONSE）無線基地局２００ｂは、ＲＮＣ３００ａから受信したリンク設定要求に応答して、Ｉｕｂ回線のＤＣＣＨおよびＤＴＣＨの捕捉（仮設定）を行う。そして、無線基地局２００ｂは、ＲＮＣ３００ａに対してリンク設定完了を応答する。
【００８７】
［ステップＳ１３７］（ESTABLISH REQUEST）ＲＮＣ３００ａは、無線基地局２００ｂに対して、ステップＳ１３６で捕捉されたＩｕｂ回線のＤＣＣＨおよびＤＴＣＨの活性化を要求する。
【００８８】
［ステップＳ１３８］（ESTABLISH CONFIRM）無線基地局２００ｂは、ＲＮＣ３００ａから受信した活性化要求に応答して、ステップＳ１３６で捕捉したＤＣＣＨおよびＤＴＣＨを活性化させる。そして、無線基地局２００ｂは、ＲＮＣ３００ａに対して活性化完了を応答する。
【００８９】
［ステップＳ１３９］（RADIO LINK SETUP RESPONSE）ＲＮＣ３００ａは、ＲＮＣ３００に対して、Ｉｕｂ回線のＤＣＣＨおよびＤＴＣＨの設定完了を応答する。完了応答を受信したＲＮＣ３００は、無線基地局２００ｂ経由のブランチの追加設定を行う。
【００９０】
［ステップＳ１４０］（ESTABLISH REQUEST）ＲＮＣ３００は、ＲＮＣ３００ａに対して、ステップＳ１３３で捕捉されたＩｕｒ回線のＤＣＣＨおよびＤＴＣＨの活性化を要求する。
【００９１】
［ステップＳ１４１］（ESTABLISH CONFIRM）ＲＮＣ３００ａは、ＲＮＣ３００から受信した活性化要求に応答して、ステップＳ１３３で捕捉したＤＣＣＨおよびＤＴＣＨを活性化させる。そして、ＲＮＣ３００ａは、ＲＮＣ３００に対して活性化完了を応答する。完了応答を受信したＲＮＣ３００は、ステップＳ１３９で追加したブランチとステップＳ１３２で設定したＩｕｒ回線とを対応付ける。
【００９２】
［ステップＳ１４２］（ACTIVE SET UPDATE）ＲＮＣ３００は、無線基地局２００経由で移動局１００に対して、無線基地局２００ｂ経由のブランチを追加した旨を通知する。
［ステップＳ１４３］（ACTIVE SET COMPLETE）移動局１００は、無線基地局２００経由でＲＮＣ３００に対して、ブランチ追加通知を受信した旨を応答する。
【００９３】
［ステップＳ１４４］（MESUEMENT CONTROL）ＲＮＣ３００は、無線基地局２００経由で移動局１００に対して、無線基地局２００ｂについての無線通信品質の継続的な測定を開始するよう要求する。
【００９４】
このようにして、ＲＮＣ３００は、移動局１００から取得する品質測定報告に基づいて、ブランチを新たに追加すべきか否か判断する。そして、ＲＮＣ３００は、追加すべきブランチが経由するＲＮＣ３００ａに指示して、ＲＮＣ３００ａと無線基地局２００ｂとの間でＩｕｂ回線のＤＣＣＨおよびＤＴＣＨの設定が行われるようにする。また、ＲＮＣ３００は、ＲＮＣ３００ａとの間でＩｕｒ回線のＤＣＣＨおよびＤＴＣＨの設定を行う。これにより、ＲＮＣ３００と無線基地局２００ｂとの間に接続が確立されて、ＲＮＣ３００と移動局１００とが無線基地局２００ｂ経由でデータ送受信を行えるようになる。
【００９５】
図１０は、Ｄ−ＲＮＣ経由のブランチ削除処理の流れを示すシーケンス図である。以下、図１０に示す処理をステップ番号に沿って説明する。なお、ここでは、移動局１００とＲＮＣ３００との間には、無線基地局２００経由するブランチと無線基地局２００ｂを経由するブランチとが形成されており、無線基地局２００を経由するブランチがメインブランチとして選択されているものとする。
【００９６】
［ステップＳ１５１］（MEASUREMENT REPORT）移動局１００は、無線基地局２００，２００ｂが出力する既知信号を捕捉し、各下りリンクの無線通信品質を測定する。そして、移動局１００は、現在のメインブランチ（無線基地局２００を経由するブランチ）を用いて、サービングＲＮＣであるＲＮＣ３００に対し測定結果を制御情報として送信する。
【００９７】
［ステップＳ１５２］（ACTIVE SET UPDATE）ＲＮＣ３００は、無線基地局２００から受信した無線通信品質の測定結果に基づいて、ブランチの削除の要否を決定する。ここでは、移動局１００と無線基地局２００ｂとの間の無線通信品質が低下し、無線基地局２００ｂを経由するブランチを削除すると決定したとする。すると、ＲＮＣ３００は、無線基地局２００経由で移動局１００に対して、ブランチの削除開始を通知する。
【００９８】
［ステップＳ１５３］（ACTIVE SET COMPLETE）移動局１００は、無線基地局２００経由でＲＮＣ３００に対して、ブランチ削除通知を受信した旨を応答する。
［ステップＳ１５４］（MEASUREMENT CONTROL）ＲＮＣ３００は、無線基地局２００経由で移動局１００に対して、無線基地局２００ｂについての無線通信品質の継続的な測定を停止するよう要求する。
【００９９】
［ステップＳ１５５］（RADIO LINK DELITION REQUEST）ＲＮＣ３００は、ＲＮＣ３００ａに対して、ＤＣＣＨおよびＤＴＣＨの停止を要求する。
［ステップＳ１５６］（RADIO LINK DELITION REQUEST）ＲＮＣ３００ａは、無線基地局２００ｂに対して、ＤＣＣＨおよびＤＴＣＨの停止を要求する。
【０１００】
［ステップＳ１５７］（RADIO LINK DELITION RESPONSE）無線基地局２００ｂは、ＲＮＣ３００ａから受信した停止要求に応答して、Ｉｕｂ回線のＤＣＣＨおよびＤＴＣＨの信号送信を停止する。そして、無線基地局２００ｂは、ＲＮＣ３００ａに対して停止完了を応答する。
【０１０１】
［ステップＳ１５８］（RELEASE REQUEST）ＲＮＣ３００ａは、無線基地局２００ｂに対して、ステップＳ１５７で停止されたＤＴＣＨの切断を要求する。
［ステップＳ１５９］（RELEASE CONFIRM）無線基地局２００ｂは、ＲＮＣ３００ａから受信したＤＴＣＨ切断要求に応答して、Ｉｕｂ回線のＤＴＣＨの設定を解除してＤＴＣＨを切断する。そして、無線基地局２００ｂは、ＲＮＣ３００ａに対して切断完了を応答する。完了応答を受信したＲＮＣ３００ａは、無線基地局２００ｂとの間のＤＴＣＨの設定を解除する。
【０１０２】
［ステップＳ１６０］（RELEASE REQUEST）ＲＮＣ３００ａは、無線基地局２００ｂに対して、ステップＳ１５７で停止されたＤＣＣＨの切断を要求する。
［ステップＳ１６１］（RELEASE CONFIRM）無線基地局２００ｂは、ＲＮＣ３００ａから受信したＤＣＣＨ切断要求に応答して、Ｉｕｂ回線のＤＣＣＨの設定を解除してＤＣＣＨを切断する。そして、無線基地局２００ｂは、ＲＮＣ３００ａに対して切断完了を応答する。完了応答を受信したＲＮＣ３００ａは、無線基地局２００ｂとの間のＤＣＣＨの設定を解除する。
【０１０３】
［ステップＳ１６２］（RADIO LINK DELITION RESPONSE）ＲＮＣ３００ａは、ＲＮＣ３００に対して、Ｉｕｂ回線のＤＣＣＨおよびＤＴＣＨの停止・切断の完了を応答する。
［ステップＳ１６３］（RELEASE REQUEST）ＲＮＣ３００は、ＲＮＣ３００ａに対して、Ｉｕｒ回線の接続の解放を要求する。
【０１０４】
［ステップＳ１６４］（RLEASE CONFIRM）ＲＮＣ３００ａは、ＲＮＣ３００ａから受信した解放要求に応答して、Ｉｕｒ回線のＤＣＣＨおよびＤＴＣＨの設定を解除する。そして、ＲＮＣ３００ａは、ＲＮＣ３００に対して解放完了を応答する。完了応答を受信したＲＮＣ３００は、ＲＮＣ３００ａとの間のＤＣＣＨおよびＤＴＣＨの設定を解除すると共に、ブランチの削除設定を行う。
【０１０５】
このようにして、ＲＮＣ３００は、移動局１００から取得する品質測定報告に基づいて、設定された複数のブランチの一部を削除すべきか否か判断する。そして、ＲＮＣ３００は、削除すべきブランチが経由するＲＮＣ３００ａに指示して、ＲＮＣ３００ａと無線基地局２００ｂとの間のＩｕｂ回線のＤＣＣＨおよびＤＴＣＨが切断されるようにする。また、ＲＣＮ３００は、ＲＮＣ３００ａとの間のＩｕｒ回線のＤＣＣＨおよびＤＴＣＨを切断する。これにより、ＲＮＣ３００と無線基地局２００ｂとの間の接続が解放され、ブランチが削除される。
【０１０６】
なお、移動局１００とＲＮＣ３００との間に形成されるブランチの１つが、コアネットワーク４００側に出力するユーザデータを確保するためのメインブランチとして選択される。メインブランチは、上記のブランチ追加・削除処理が行われた後に変更される場合がある。また、ブランチの追加・削除がない場合でも、無線通信品質の変化に応じて変更される場合もある。
【０１０７】
次に、移動局１００とＲＮＣ３００との間に複数のブランチが形成されている場合に、メインブランチ以外のブランチからＲＮＣ３００へのユーザデータの流入を抑制する処理について説明する。
【０１０８】
ここで、ユーザデータの停止位置としては、（１）ドリフトＲＮＣがＩｕｒ区間へのユーザデータの送信を停止する、（２）ドリフトＲＮＣの送信停止に加えてサービングＲＮＣ配下の無線基地局がＩｕｂ区間へのユーザデータの送信を停止する、（３）サービングＲＮＣ配下であるかドリフトＲＮＣ配下であるかに拘わらず無線基地局がＩｕｂ区間へのユーザデータの送信を停止する、の３通りのパターンを考える。この３つパターンは、ＲＮＣ３００，３００ａの設定を変更することで切り換えることができる。以下、上記３つのパターンをそれぞれ適用した場合の処理を順に説明する。
【０１０９】
なお、停止位置のパターン毎に、データ送信を停止させる具体的な制御方法として、図６に示した３つの制御モードを考える。ＤＴＣＨ切断型は、一旦確立されたＤＴＣＨを切断する方法である。これは、ＤＴＣＨを維持するための通信リソースも解放でき、通信リソースをより節約できるという利点がある。ＤＴＣＨ帯域削減型は、ＤＴＣＨに割り当てる通信帯域を０（ゼロ）に設定することで、実質的にユーザデータを送信できないようにする方法である。これは、停止状態からの復帰処理が容易であるという利点がある。流入規制型は、ユーザデータの流量が大きい場合に、自動的に送信元でユーザデータを破棄する方法である。これは、メインブランチの変更をより迅速に行えるという利点がある。
【０１１０】
まず、第１の送信停止パターン、すなわち、ドリフトＲＮＣのみがユーザデータの送信停止処理を行うパターンについて説明する。
図１１は、ＤＴＣＨ制御のＳ−ＲＮＣ側処理の流れを示すフローチャートである。以下、図１１に示す処理をステップ番号に沿って説明する。
【０１１１】
［ステップＳ２１１］ＲＮＣ３００は、ブランチテーブル３４１を参照して、メインブランチが変更されたか判断する。メインブランチが変更された場合には、処理がステップＳ２１２に進められる。メインブランチが変更されていない場合には、処理がステップＳ２１６に進められる。
【０１１２】
［ステップＳ２１２］ＲＮＣ３００は、制御モードテーブル３６１を参照して、設定された制御モードがＤＴＣＨ切断型であるか判断する。制御モードがＤＴＣＨ切断型である場合、処理がステップＳ２１３に進められる。制御モードがＤＴＣＨ切断型でない場合、処理がステップＳ２１４に進められる。
【０１１３】
［ステップＳ２１３］ＲＮＣ３００は、ブランチテーブル３４１を参照して、メインブランチ以外のブランチであって、Ｉｕｒ回線を利用するブランチ（ＲＮＣ３００ａを経由するブランチ）を特定する。そして、ＲＮＣ３００は、ＲＮＣ３００ａに対して、特定したブランチのＤＴＣＨの切断を要求する。このとき、ＤＣＣＨの切断は要求しない。
【０１１４】
［ステップＳ２１４］ＲＮＣ３００は、制御モードテーブル３６１を参照して、設定された制御モードがＤＴＣＨ帯域削減型であるか判断する。制御モードがＤＴＣＨ帯域削減型である場合、処理がステップＳ２１５に進められる。制御モードがＤＴＣＨ帯域削減型でない場合には、処理が終了する。
【０１１５】
［ステップＳ２１５］ＲＮＣ３００は、ブランチテーブル３４１を参照して、メインブランチ以外のブランチであって、Ｉｕｒ回線を利用するブランチを特定する。そして、ＲＮＣ３００は、ＲＮＣ３００ａに対して、特定したブランチのＤＴＣＨ帯域を０（ゼロ）に変更するよう要求する。このとき、ＤＣＣＨの帯域変更は要求しない。
【０１１６】
［ステップＳ２１６］ＲＮＣ３００は、Ｉｕｒ回線のユーザデータの流入量が所定の閾値を超えるか判断する。流入量が閾値を超える場合には、処理がステップＳ２１７に進められる。流入量が閾値を超えない場合には、処理が終了する。
【０１１７】
［ステップＳ２１７］ＲＮＣ３００は、制御モードテーブル３６１を参照して、設定された制御モードが流入規制型であるか判断する。制御モードが流入規制型である場合、処理がステップＳ２１８に進められる。制御モードが流入規制型でない場合、処理が終了する。
【０１１８】
［ステップＳ２１８］ＲＮＣ３００は、ブランチテーブル３４１を参照して、メインブランチ以外のブランチであって、Ｉｕｒ回線を利用するブランチを特定する。そして、ＲＮＣ３００は、ＲＮＣ３００ａに対して、特定したブランチについてユーザデータの流入規制の発動を要求する。このとき、ＤＣＣＨの流入規制は要求しない。
【０１１９】
［ステップＳ２１９］ＲＮＣ３００は、ステップＳ２１３，Ｓ２１５またはＳ２１８の要求に対し、ＲＮＣ３００ａから完了応答を受信する。
このようにして、サービングＲＮＣであるＲＮＣ３００は、制御モードがＤＴＣＨ切断型である場合、ＲＮＣ３００ａに対しＤＴＣＨの切断を要求する。制御モードがＤＴＣＨ帯域削減型である場合、ＲＮＣ３００ａに対しＤＴＣＨ帯域の削減を要求する。制御モードが流入規制型である場合、Ｉｕｒ回線のユーザデータの流入量が閾値を超えているときに、ＲＮＣ３００ａに対し規制発動を要求する。このとき、何れの制御モードの場合も、停止対象はＤＴＣＨのみであり、ＤＣＣＨは影響を受けない。これにより、制御情報の流入は阻害されず、ユーザデータの流入のみ停止される。
【０１２０】
図１２は、ＤＴＣＨ制御のＤ−ＲＮＣ側処理の流れを示すフローチャートである。以下、図１２に示す処理をステップ番号に沿って説明する。
［ステップＳ２２１］ＲＮＣ３００ａは、ＲＮＣ３００からＤＴＣＨの停止に関する要求を受信する。
【０１２１】
［ステップＳ２２２］ＲＮＣ３００ａは、ステップＳ２２１で受信した要求がＤＴＣＨの切断要求であるか判断する。切断要求である場合、処理がステップＳ２２３に進められる。切断要求でない場合、処理がステップＳ２２４に進められる。
【０１２２】
［ステップＳ２２３］ＲＮＣ３００ａは、ＲＮＣ３００との間のＩｕｒ回線のＤＴＣＨの設定を解除してＤＴＣＨを切断する。
［ステップＳ２２４］ＲＮＣ３００ａは、ステップＳ２２１で受信した要求がＤＴＣＨの帯域変更要求であるか判断する。帯域変更要求である場合、処理がステップＳ２２５に進められる。帯域変更要求でない場合、処理がステップＳ２２６に進められる。
【０１２３】
［ステップＳ２２５］ＲＮＣ３００ａは、ＲＮＣ３００との間のＩｕｒ回線のＤＴＣＨに割り当てる帯域を０（ゼロ）に変更する。
［ステップＳ２２６］ＲＮＣ３００ａは、ステップＳ２２１で受信した要求が規制発動要求であるか判断する。規制発動要求である場合、処理がステップＳ２２７に進められる。規制発動要求でない場合、処理がステップＳ２２８に進められる。
【０１２４】
［ステップＳ２２７］ＲＮＣ３００ａは、ＲＮＣ３００との間のＩｕｒ回線のＤＴＣＨについて送信規制を行い、ＤＴＣＨで送信すべきユーザデータを破棄する。
［ステップＳ２２８］ＲＮＣ３００ａは、ステップＳ２２１で受信した要求に対応する処理が完了した旨をＲＮＣ３００に応答する。
【０１２５】
このようにして、ドリフトＲＮＣであるＲＮＣ３００ａは、要求内容がＤＴＣＨの切断である場合、Ｉｕｒ回線のＤＴＣＨを切断する。要求内容がＤＴＣＨの帯域変更である場合、Ｉｕｒ回線のＤＴＣＨの割り当て帯域を０（ゼロ）に設定する。要求内容が規制発動である場合、Ｉｕｒ回線のＤＴＣＨ接続や帯域設定は変更せずに、ユーザデータを破棄する。このとき、何れの要求内容の場合も、停止対象はＤＴＣＨのみであり、ＤＣＣＨは影響を受けない。これにより、Ｉｕｒ回線にはユーザデータは送出されず、制御情報のみが送出される。
【０１２６】
ここで、制御モードがＤＴＣＨ切断型の場合、ＤＴＣＨ帯域削減型の場合、流入規制型の場合それぞれについて、ＲＮＣ３００およびＲＮＣ３００ａ内部で行われる制御処理を説明する。まず、制御モードがＤＴＣＨ切断型の場合の内部制御を説明する。
【０１２７】
図１３は、第１のＤＴＣＨ切断時のＳ−ＲＮＣの内部制御を示す図である。ＲＮＣ３００では、メインブランチが変更されると、呼制御部３５０がブランチデータ記憶部３４０からブランチテーブル３４１を読み出す（ステップＳ３１１）。次に、呼制御部３５０は、モード制御部３７０に制御モードを問い合わせる（ステップＳ３１２）。モード制御部３７０は、モードデータ記憶部３６０から制御モードテーブル３６１を読み出す（ステップＳ３１３）。そして、モード制御部３７０は、現在適用されている制御モードを呼制御部３５０に回答する（ステップＳ３１４）。
【０１２８】
モード制御部３７０からの回答がＤＴＣＨ切断型であると、呼制御部３５０は、ステップＳ３１１で読み出したブランチテーブル３４１に基づいて停止対象ブランチ（メインブランチでなく、ＲＮＣ３００ａを経由するブランチ）を特定する。そして、呼制御部３５０は、特定したブランチのＤＴＣＨ切断要求をブランチ制御部３２０に出力する（ステップＳ３１５）。ブランチ制御部３２０は、Ｉｕｒ通信部３３５にＤＴＣＨ切断要求を出力する（ステップＳ３１６）。Ｉｕｒ通信部３３５は、Ｉｕｒ回線経由でＲＮＣ３００ａにＤＴＣＨ切断要求を送信する（ステップＳ３１７）。その後、Ｉｕｒ通信部３３５は、ＲＮＣ３００ａからＩｕｒ回線経由で、ＤＴＣＨ切断の完了応答を受信する（ステップＳ３１８）。
【０１２９】
図１４は、第１のＤＴＣＨ切断時のＤ−ＲＮＣの内部制御を示す図である。ＲＮＣ３００ａは、図４に示したＲＮＣ３００と同様の機能を有する、Ｉｕｂ通信部３１０ａ、ブランチ制御部３２０ａ、Ｉｕ通信部３３０ａ、Ｉｕｒ通信部３３５ａ、ブランチデータ記憶部３４０ａ、呼制御部３５０ａ、モードデータ記憶部３６０ａ、モード制御部３７０ａ、パケット監視部３８０ａおよび流入規制部３９０ａを有しているとする。
【０１３０】
ＲＮＣ３００ａでは、ＲＮＣ３００が送信したＤＴＣＨ切断要求を、Ｉｕｒ通信部３３５ａがＩｕｒ回線経由で受信する（ステップＳ３２１）。そして、Ｉｕｒ通信部３３５ａは、ＤＴＣＨ切断要求をブランチ制御部３２０ａに出力する（ステップＳ３２２）。ブランチ制御部３２０ａは、呼制御部３５０ａにＤＴＣＨ切断要求を出力する（ステップＳ３２３）。呼制御部３５０ａは、ＤＴＣＨ切断要求で指定されたブランチについて、Ｉｕｒ回線のＤＴＣＨの設定を解除してＤＴＣＨを切断する。
【０１３１】
そして、呼制御部３５０ａは、ブランチ制御部３２０ａに完了応答を出力する（ステップＳ３２４）。ブランチ制御部３２０ａは、Ｉｕｒ通信部３３５ａに完了応答を出力する（ステップＳ３２５）。Ｉｕｒ通信部３３５ａは、Ｉｕｒ回線経由でＲＮＣ３００に完了応答を送信する（ステップＳ３２６）。
【０１３２】
これにより、ＲＮＣ３００ａからＲＮＣ３００にユーザデータを送信するためのＤＴＣＨが存在しないことになり、ＲＮＣ３００ａがＩｕｂ回線から取得したユーザデータはＲＮＣ３００ａで破棄されることになる。すなわち、ユーザデータがＲＮＣ３００に流入することが、ＲＮＣ３００ａによって阻止される。
【０１３３】
次に、制御モードがＤＴＣＨ帯域削減型の場合の内部制御を説明する。制御モードがＤＴＣＨ帯域削減型である場合のＲＮＣ３００の内部制御は、図１３に示した制御モードがＤＴＣＨ切断型である場合と同様である。ただし、呼制御部３５０からブランチ制御部３２０に出力される要求内容が、ＤＴＣＨ帯域変更要求である点が異なる。
【０１３４】
図１５は、第１のＤＴＣＨ帯域削減時のＤ−ＲＮＣの内部制御を示す図である。ＲＮＣ３００ａでは、ＲＮＣ３００が送信したＤＴＣＨ帯域変更要求を、Ｉｕｒ通信部３３５ａがＩｕｒ回線経由で受信する（ステップＳ３３１）。そして、Ｉｕｒ通信部３３５ａは、ＤＴＣＨ帯域変更要求をブランチ制御部３２０ａに出力する（ステップＳ３３２）。ブランチ制御部３２０ａは、呼制御部３５０ａにＤＴＣＨ帯域変更要求を出力する（ステップＳ３３３）。呼制御部３５０ａは、ＤＴＣＨ帯域変更要求で指定されたブランチについて、Ｉｕｒ回線のＤＴＣＨの割り当て帯域（ＤＴＣＨとして使用可能な帯域）の設定を０（ゼロ）に変更する。そして、呼制御部３５０ａは、流入規制部３９０ａにＤＴＣＨ帯域変更を通知する（ステップＳ３３４）。
【０１３５】
流入規制部３９０ａは、呼制御部３５０ａの設定に基づいて、Ｉｕｒ回線への送出が不可となったユーザデータの破棄を開始する。そして流入規制部３９０ａは、呼制御部３５０ａに完了応答を出力する（ステップＳ３３５）。呼制御部３５０ａは、ブランチ制御部３２０ａに完了応答を出力する（ステップＳ３３６）。ブランチ制御部３２０ａは、Ｉｕｒ通信部３３５ａに完了応答を出力する（ステップＳ３３７）。Ｉｕｒ通信部３３５ａは、Ｉｕｒ回線経由でＲＮＣ３００に完了応答を送信する（ステップＳ３３８）。
【０１３６】
これにより、ＲＮＣ３００ａとＲＮＣ３００との間にＤＴＣＨは存在するが、その割り当て帯域がゼロであるため実質的にＤＴＣＨを使用できず、ＲＮＣ３００ａがＩｕｂ回線から取得したユーザデータはＲＮＣ３００ａで破棄されることになる。すなわち、ユーザデータがＲＮＣ３００に流入することが、ＲＮＣ３００ａによって阻止される。
【０１３７】
次に、制御モードが流入規制型の場合の内部制御を説明する。
図１６は、第１の流入規制時のＳ−ＲＮＣの内部制御を示す図である。ＲＮＣ３００では、パケット監視部３８０が、Ｉｕｒ回線からのユーザデータ流入量が所定の閾値を超えたことを検出すると、流入規制部３９０に流入量超過を通知する（ステップＳ３４１）。流入規制部３９０は、呼制御部３５０に流入量超過の通知を出力する（ステップＳ３４２）。呼制御部３５０は、モード制御部３７０に制御モードを問い合わせる（ステップＳ３４３）。モード制御部３７０は、モードデータ記憶部３６０から制御モードテーブル３６１を読み出す（ステップＳ３４４）。そして、モード制御部３７０は、現在適用されている制御モードを呼制御部３５０に回答する（ステップＳ３４５）。
【０１３８】
モード制御部３７０からの回答が流入規制型であると、呼制御部３５０は、ブランチデータ記憶部３４０からブランチテーブル３４１を読み出す（ステップＳ３４６）。次に、呼制御部３５０は、読み出したブランチテーブル３４１に基づいて停止対象ブランチ（メインブランチでなく、ＲＮＣ３００ａを経由するブランチ）を特定する。そして、呼制御部３５０は、特定したブランチの規制発動要求をブランチ制御部３２０に出力する（ステップＳ３４７）。ブランチ制御部３２０は、Ｉｕｒ通信部３３５に規制発動要求を出力する（ステップＳ３４８）。Ｉｕｒ通信部３３５は、Ｉｕｒ回線経由でＲＮＣ３００ａに規制発動要求を送信する（ステップＳ３４９）。その後、Ｉｕｒ通信部３３５は、ＲＮＣ３００ａからＩｕｒ回線経由で、規制発動の完了応答を受信する（ステップＳ３５０）。
【０１３９】
図１７は、第１の流入規制時のＤ−ＲＮＣの内部制御を示す図である。ＲＮＣ３００ａでは、ＲＮＣ３００が送信した規制発動要求を、Ｉｕｒ通信部３３５ａがＩｕｒ回線経由で受信する（ステップＳ３５１）。そして、Ｉｕｒ通信部３３５ａは、規制発動要求を流入規制部３９０ａに出力する（ステップＳ３５２）。流入規制部３９０ａは、呼制御部３５０ａに規制発動要求を出力する（ステップＳ３５３）。呼制御部３５０ａは、規制発動要求で指定されたブランチについて、Ｉｕｒ回線へのユーザデータの送出を一時的に停止する設定を行う。
【０１４０】
そして、呼制御部３５０ａは、流入規制部３９０ａに完了応答を出力する（ステップＳ３５４）。流入規制部３９０ａは、呼制御部３５０ａの設定に基づいて、Ｉｕｒ回線へのユーザデータの送出を停止してユーザデータの破棄を開始する。そして、流入規制部３９０ａは、Ｉｕｒ通信部３３５ａに完了応答を出力する（ステップＳ３５５）。Ｉｕｒ通信部３３５ａは、Ｉｕｒ回線経由でＲＮＣ３００に完了応答を送信する（ステップＳ３５６）。
【０１４１】
これにより、ＲＮＣ３００ａとＲＮＣ３００との間にＤＴＣＨは存在し割り当て帯域も維持されるが、ユーザデータの流入が一時的に阻止されて、ＲＮＣ３００ａがＩｕｂ回線から取得したユーザデータはＲＮＣ３００ａで破棄されることになる。すなわち、ユーザデータがＲＮＣ３００に流入することが、ＲＮＣ３００ａによって阻止される。
【０１４２】
図１８は、第１のＤＴＣＨ制御実行後のパケットの流れを示す模式図である。ここでは、移動局１００とＲＮＣ３００との間に無線基地局２００，２００ａ，２００ｂを経由する３つのブランチが形成されており、無線基地局２００を経由するブランチがメインブランチであるとする。
【０１４３】
図１８に示すように、第１の送信停止パターン（ドリフトＲＮＣのみがユーザデータの送信停止を行うパターン）を採用した場合、無線基地局２００，２００ａからＲＮＣ３００へは、ユーザデータおよび制御情報が送信される。同様に、無線基地局２００ｂからＲＮＣ３００ａへは、ユーザデータおよび制御情報が送信される。一方、無線基地局２００ｂからＲＮＣ３００ａに送信されたユーザデータはＲＮＣ３００ａで破棄される。すなわち、ＲＮＣ３００ａからＲＮＣ３００へは、制御情報のみが送信され、ユーザデータは送信されない。これにより、Ｉｕｒ回線のユーザデータ流量を削減することができる。
【０１４４】
なお、メインブランチは、ブランチの追加・削除や既存ブランチの通信品質の変化に応じて随時変更されるものである。このとき、ＲＮＣ３００は全てのブランチから制御情報を取得しているため、次のメインブランチの選択およびブランチの設定変更を迅速に実行できる。
【０１４５】
送信停止状態のブランチを次のメインブランチに選択した場合、ＲＮＣ３００はＲＮＣ３００ａに送信再開を要求する。送信再開の手順の概要は、図１１〜１７に示した送信停止の手順と同様である。制御モードがＤＴＣＨ切断型である場合、ＲＮＣ３００はＲＮＣ３００ａにＤＴＣＨの再設定を要求する。制御モードがＤＴＣＨ帯域削減型である場合、ＲＮＣ３００はＲＮＣ３００ａにＤＴＣＨの割り当て帯域を元に戻すよう要求する。制御モードが流入規制型である場合、ＲＮＣ３００はＲＮＣ３００ａに規制解除を要求する。
【０１４６】
次に、第２の送信停止パターン、すなわち、ドリフトＲＮＣに加えてサービングＲＮＣ配下の無線基地局もユーザデータの送信停止を行うパターンについて説明する。この第２の送信停止パターンでは、Ｉｕｒ回線側については、図１１〜１７に示した第１の送信停止パターンと同様の処理が実行される。加えて、第２の送信停止パターンでは、メインブランチ以外のブランチであって、ＲＮＣ３００配下の無線基地局２００，２００ａを経由するブランチも停止対象とする。
【０１４７】
このとき、ＲＮＣ３００は無線基地局２００，２００ａに対して停止要求を送信する。無線基地局２００，２００ａは、図１２に示したドリフトＲＮＣ側処理と同様の処理を実行する。以下では、制御モードがＤＴＣＨ切断型の場合、ＤＴＣＨ帯域削減型の場合、流入規制型の場合それぞれについて、Ｉｕｂ回線側の停止処理に際してＲＮＣ３００およびＲＮＣ３００ａ内部で行われる制御処理を説明する。まず、制御モードがＤＴＣＨ切断型の場合の内部制御を説明する。
【０１４８】
図１９は、第２のＤＴＣＨ切断時のＳ−ＲＮＣの内部制御を示す図である。ＲＮＣ３００では、メインブランチが変更されると、呼制御部３５０がブランチデータ記憶部３４０からブランチテーブル３４１を読み出す（ステップＳ４１１）。次に、呼制御部３５０は、モード制御部３７０に制御モードを問い合わせる（ステップＳ４１２）。モード制御部３７０は、モードデータ記憶部３６０から制御モードテーブル３６１を読み出す（ステップＳ４１３）。そして、モード制御部３７０は、現在適用されている制御モードを呼制御部３５０に回答する（ステップＳ４１４）。
【０１４９】
モード制御部３７０からの回答がＤＴＣＨ切断型であると、呼制御部３５０は、ステップＳ４１１で読み出したブランチテーブル３４１に基づいて停止対象ブランチ（メインブランチでなく、ＲＮＣ３００配下の無線基地局を経由するブランチ）を特定する。そして、呼制御部３５０は、特定したブランチのＤＴＣＨ切断要求をブランチ制御部３２０に出力する（ステップＳ４１５）。ブランチ制御部３２０は、Ｉｕｂ通信部３１０にＤＴＣＨ切断要求を出力する（ステップＳ４１６）。Ｉｕｂ通信部３１０は、Ｉｕｂ回線経由で対象となる無線基地局にＤＴＣＨ切断要求を送信する（ステップＳ４１７）。その後、Ｉｕｂ通信部３１０は、ＤＴＣＨ切断要求の送信先からＩｕｂ回線経由で、ＤＴＣＨ切断の完了応答を受信する（ステップＳ４１８）。
【０１５０】
図２０は、第２のＤＴＣＨ切断時の無線基地局の内部制御を示す図である。ここでは、無線基地局２００を経由するブランチが停止対象になったとする。無線基地局２００では、ＲＮＣ３００が送信したＤＴＣＨ切断要求を、Ｉｕｂ通信部２５０がＩｕｂ回線経由で受信する（ステップＳ４２１）。そして、Ｉｕｂ通信部２５０は、ＤＴＣＨ切断要求を接続制御部２３０に出力する（ステップＳ４２２）。接続制御部２３０は、呼制御部２４０にＤＴＣＨ切断要求を出力する（ステップＳ４２３）。
【０１５１】
呼制御部２４０は、ＤＴＣＨ切断要求で指定されたブランチについて、Ｉｕｂ回線のＤＴＣＨの設定を解除してＤＴＣＨを切断する。そして、呼制御部２４０は、接続制御部２３０に完了応答を出力する（ステップＳ４２４）。接続制御部２３０は、Ｉｕｂ通信部２５０に完了応答を出力する（ステップＳ４２５）。Ｉｕｂ通信部２５０は、Ｉｕｂ回線経由でＲＮＣ３００に完了応答を送信する（ステップＳ４２６）。
【０１５２】
これにより、無線基地局２００からＲＮＣ３００にユーザデータを送信するためのＤＴＣＨが存在しないことになり、無線基地局２００が移動局１００から無線で受信したユーザデータは無線基地局２００で破棄されることになる。すなわち、ユーザデータがＲＮＣ３００に流入することが、無線基地局２００によって阻止される。
【０１５３】
次に、制御モードがＤＴＣＨ帯域削減型の場合の内部制御を説明する。制御モードがＤＴＣＨ帯域削減型である場合のＲＮＣ３００の内部制御は、図１９に示した制御モードがＤＴＣＨ切断型である場合と同様である。ただし、呼制御部３５０からブランチ制御部３２０に出力される要求内容が、ＤＴＣＨ帯域変更要求である点が異なる。
【０１５４】
図２１は、第２のＤＴＣＨ帯域削減時の無線基地の内部制御を示す図である。ここでは、無線基地局２００を経由するブランチが停止対象になったとする。無線基地局２００では、ＲＮＣ３００が送信したＤＴＣＨ帯域変更要求を、Ｉｕｂ通信部２５０がＩｕｂ回線経由で受信する（ステップＳ４３１）。そして、Ｉｕｂ通信部２５０は、ＤＴＣＨ帯域変更要求を接続制御部２３０に出力する（ステップＳ４３２）。接続制御部２３０は、呼制御部２４０にＤＴＣＨ帯域変更要求を出力する（ステップＳ４３３）。呼制御部２４０は、ＤＴＣＨ帯域変更要求で指定されたブランチについて、Ｉｕｂ回線のＤＴＣＨの割り当て帯域（ＤＴＣＨとして使用可能な帯域）の設定を０（ゼロ）に変更する。そして、呼制御部２４０は、無線通信部２２０にＤＴＣＨ帯域変更を通知する（ステップＳ４３４）。
【０１５５】
無線通信部２２０は、呼制御部２４０の設定に基づいて、受信したユーザデータのうちＩｕｂ回線への送出が不可となったユーザデータの破棄を開始する。そして無線通信部２２０は、呼制御部２４０に完了応答を出力する（ステップＳ４３５）。呼制御部２４０は、接続制御部２３０に完了応答を出力する（ステップＳ４３６）。接続制御部２３０は、Ｉｕｂ通信部２５０に完了応答を出力する（ステップＳ４３７）。Ｉｕｂ通信部２５０は、Ｉｕｂ回線経由でＲＮＣ３００に完了応答を送信する（ステップＳ４３８）。
【０１５６】
これにより、無線基地局２００とＲＮＣ３００との間にＤＴＣＨは存在するが、その割り当て帯域がゼロであるため実質的にＤＴＣＨを使用できず、無線基地局２００が無線で受信したユーザデータは無線基地局２００で破棄されることになる。すなわち、ユーザデータがＲＮＣ３００に流入することが、無線基地局２００によって阻止される。
【０１５７】
次に、制御モードが流入規制型の場合の内部制御を説明する。制御モードが流入規制型である場合の無線基地局２００の内部制御の概要は、図２１に示した制御モードがＤＴＣＨ帯域削減型である場合と同様である。ただし、呼制御部２４０の設定処理が、ＤＴＣＨの割り当て帯域の変更ではなく、ユーザデータの送出の一時的停止である点が異なる。
【０１５８】
図２２は、第２の流入規制時のＳ−ＲＮＣの内部制御を示す図である。ＲＮＣ３００では、パケット監視部３８０が、Ｉｕｂ回線からのユーザデータ流入量が所定の閾値を超えたことを検出すると、流入規制部３９０に流入量超過を通知する（ステップＳ４４１）。流入規制部３９０は、呼制御部３５０に流入量超過の通知を出力する（ステップＳ４４２）。呼制御部３５０は、モード制御部３７０に制御モードを問い合わせる（ステップＳ４４３）。モード制御部３７０は、モードデータ記憶部３６０から制御モードテーブル３６１を読み出す（ステップＳ４４４）。そして、モード制御部３７０は、現在適用されている制御モードを呼制御部３５０に回答する（ステップＳ４４５）。
【０１５９】
モード制御部３７０からの回答が流入規制型であると、呼制御部３５０は、ブランチデータ記憶部３４０からブランチテーブル３４１を読み出す（ステップＳ４４６）。次に、呼制御部３５０は、読み出したブランチテーブル３４１に基づいて停止対象ブランチ（メインブランチでなく、ＲＮＣ３００配下の無線基地局を経由するブランチ）を特定する。そして、呼制御部３５０は、特定したブランチの規制発動要求をブランチ制御部３２０に出力する（ステップＳ４４７）。ブランチ制御部３２０は、Ｉｕｂ通信部３１０に規制発動要求を出力する（ステップＳ４４８）。Ｉｕｂ通信部３１０は、Ｉｕｂ回線経由で対象となる無線基地局に規制発動要求を送信する（ステップＳ４４９）。その後、Ｉｕｂ通信部３１０は、ＤＴＣＨ切断要求の送信先からＩｕｂ回線経由で、ＤＴＣＨ切断の完了応答を受信する（ステップＳ４５０）。
【０１６０】
これにより、無線基地局２００とＲＮＣ３００との間にＤＴＣＨは存在し割り当て帯域も維持されるが、ユーザデータの流入が一時的に阻止されて、無線基地局２００がＩｕｂ回線から取得したユーザデータは無線基地局２００で破棄されることになる。すなわち、ユーザデータがＲＮＣ３００に流入することが、無線基地局２００によって阻止される。
【０１６１】
図２３は、第２のＤＴＣＨ制御実行後のパケットの流れを示す模式図である。ここでは、移動局１００とＲＮＣ３００との間に無線基地局２００，２００ａ，２００ｂを経由する３つのブランチが形成されており、無線基地局２００を経由するブランチがメインブランチであるとする。
【０１６２】
図２３に示すように、第２の送信停止パターン（ドリフトＲＮＣとサービングＲＮＣ配下の無線基地局とがユーザデータの送信停止を行うパターン）を採用した場合、無線基地局２００からＲＮＣ３００へは、ユーザデータおよび制御情報が送信される。同様に、無線基地局２００ｂからＲＮＣ３００ａへは、ユーザデータおよび制御情報が送信される。一方、無線基地局２００ａからＲＮＣ３００へは、制御情報のみが送信されてユーザデータは送信されない。また、無線基地局２００ｂからＲＮＣ３００ａに送信されたユーザデータはＲＮＣ３００ａで破棄される。すなわち、ＲＮＣ３００ａからＲＮＣ３００へは、制御情報のみが送信されてユーザデータは送信されない。これにより、Ｉｕｒ回線およびサービングＲＮＣ直下のＩｕｂ回線のユーザデータ流量を削減することができる。
【０１６３】
次に、第３の送信停止パターン、すなわち、サービングＲＮＣの配下にあるかドリフトＲＮＣの配下にあるかに拘わらず全て無線基地局でユーザデータの送信停止を行うパターンについて説明する。この第３の送信停止パターンでは、サービングＲＮＣと各無線基地局との間で、第２の送信停止パターンで説明したものと同様の処理が行われる。ただし、サービングＲＮＣがドリフトＲＮＣ配下の無線基地局に停止要求を行うときは、ドリフトＲＮＣが停止要求を中継する。
【０１６４】
図２４は、第３のＤＴＣＨ制御実行後のパケットの流れを示す模式図である。ここでは、移動局１００とＲＮＣ３００との間に無線基地局２００，２００ａ，２００ｂを経由する３つのブランチが形成されており、無線基地局２００を経由するブランチがメインブランチであるとする。
【０１６５】
図２４に示すように、第３の送信停止パターン（全て無線基地局で送信停止を行うパターン）を採用した場合、無線基地局２００からＲＮＣ３００へは、ユーザデータおよび制御情報が送信される。一方、無線基地局２００ａからＲＮＣ３００および無線基地局２００ｂからＲＮＣ３００ａへは、制御情報のみが送信されてユーザデータは送信されない。
ＲＮＣ３００ａからＲＮＣ３００についても、制御情報のみが送信されてユーザデータは送信されない。これにより、Ｉｕｒ回線およびＩｕｂ回線のユーザデータ流量を削減することができる。
【０１６６】
このような無線通信システムを用いることで、サービングＲＮＣと移動局との間に複数のブランチが形成され、移動局から複数の無線基地局に同一内容のデータが並列に送信される場合でも、サービングＲＮＣに流入するユーザデータを抑制することができる。これにより、サービングＲＮＣの負荷が軽減されると共に、ブランチが利用する回線の占有帯域が抑制される。一方で、サービングＲＮＣへのユーザデータの流入は抑制されるが制御情報の流入は維持される。このため、メインブランチの変更処理、すなわち、通信品質に応じて新しいメインブランチを選択し、選択したブランチが送信停止中のときは送信を再開させるという処理をより迅速に実行することが可能となる。その結果、高い通信品質を維持することができる。
【０１６７】
特に、ドリフトＲＮＣでユーザデータを破棄するように制御することで、Ｉｕｒ回線に流入するユーザデータを削減することができる。これは、Ｉｕｒ回線がコアネットワークを経由している場合など、Ｉｕｒ回線の利用可能帯域が小さいときに特に有効である。また、制御処理がＲＮＣ間で完結するため、送信停止・再開の制御を迅速かつ容易に行うことができる。一方、無線基地局でユーザデータを破棄するように制御することで、Ｉｕｒ回線に加えてＩｕｂ回線に流入するユーザデータも削減することができる。これは、Ｉｕｂ回線の利用可能帯域が小さいときに特に有効である。
【０１６８】
また、制御モードとしてチャネル切断を選択した場合、データチャネル維持のための帯域も解放でき、Ｉｕｒ回線やＩｕｂ回線の利用帯域をより削減できるという利点が得られる。また、制御モードとして割り当て帯域削減を選択した場合、停止状態からの復帰を一層迅速に実行できるという利点が得られる。また、制御モードとして流入規制発動を選択した場合、メインブランチの変更処理を更に迅速に実行できるという利点が得られる。
【０１６９】
なお、本実施の形態では、帯域削減型の制御モードにおいて、データチャネルの割り当て帯域を０（ゼロ）に設定したが、所定の小さな値に設定するようにしてもよい。また、流入規制型の制御モードにおいて、規制発動中には規制対象のデータチャネルを利用する全てのユーザデータを破棄することとしたが、所定量を超える分のユーザデータのみを破棄するようにしてもよい。
【０１７０】
また、流入規制型の制御モードでは、ブランチ毎にユーザデータ流量が閾値を超えるか監視してもよいし、回線（Ｉｕｒ回線またはＩｕｂ回線）単位でユーザデータ流量が閾値を超えるか監視するようにしてもよい。また、流入規制を発動した後の規制解除・規制再開のタイミングは、ドリフトＲＮＣや無線基地局に判断させるようにしてもよい。また、本実施の形態では、メインブランチは１つとしたが、複数のブランチをメインブランチとして選択してもよい。この場合、通信品質が所定の基準を下回るときのみ複数のメインブランチを設定するようにすることも考えられる。
【０１７１】
以上説明した実施の形態の主な技術的特徴は以下の付記の通りである。
（付記１）  移動局が複数の無線基地局に並列に無線送信したデータを前記複数の無線基地局から受信して集約する通信装置において、
前記複数の無線基地局から前記通信装置への各伝送経路についてデータを受信するためのデータチャネルおよび制御チャネルを含む通信チャネルを設定する通信部と、
前記通信部で前記通信チャネルが設定された複数の伝送経路からメイン経路を選択し、選択されなかった伝送経路に対して、前記データチャネルおよび前記制御チャネルのうち前記データチャネルの信号送信のみを停止させる停止要求を送出する制御部と、
を有することを特徴とする通信装置。
【０１７２】
（付記２）  前記制御部は、前記停止要求において、前記データチャネルを切断するよう指示することを特徴とする付記１記載の通信装置。
（付記３）  前記制御部は、前記停止要求において、前記データチャネルの割り当て帯域をゼロに設定するよう指示することを特徴とする付記１記載の通信装置。
【０１７３】
（付記４）  前記制御部は、前記データチャネルの流量が所定の閾値を超えているときのみ前記停止要求を送出することを特徴とする付記１記載の通信装置。
（付記５）  前記制御部は、前記停止要求を、前記選択しなかった伝送経路に対応する無線基地局と前記通信装置との間でデータの中継を行う中継装置宛てに送出することを特徴とする付記１記載の通信装置。
【０１７４】
（付記６）  前記制御部は、前記停止要求を、前記選択しなかった伝送経路に対応する無線基地局宛てに送出することを特徴とする付記１記載の通信装置。
（付記７）  移動局が複数の無線基地局に並列に無線送信したデータを受信して集約する通信装置と前記複数の無線基地局の少なくとも一部との間でデータの中継を行う中継装置において、
前記通信装置にデータを転送するためのデータチャネルおよび制御チャネルを含む通信チャネルを設定する通信部と、
前記通信部が前記通信チャネルを設定した後に前記通信装置から停止要求を受信すると、前記データチャネルおよび前記制御チャネルのうち前記データチャネルの信号送信のみを停止させる制御部と、
を有することを特徴とする中継装置。
【０１７５】
（付記８）  前記制御部は、前記停止要求に応答して、前記データチャネルを切断することを特徴とする付記７記載の中継装置。
（付記９）  前記制御部は、前記停止要求に応答して、前記データチャネルの割り当て帯域をゼロに設定することを特徴とする付記７記載の中継装置。
【０１７６】
（付記１０）  移動局との間で無線通信を行う複数の無線基地局と前記移動局が前記複数の無線基地局に並列に送信したデータを受信して集約する通信装置とを備える無線通信システムにて前記複数の無線基地局の少なくとも一部として用いられる無線基地局において、
前記移動局から受信したデータを前記通信装置に転送するためのデータチャネルおよび制御チャネルを含む通信チャネルを設定する通信部と、
前記通信部が前記通信チャネルを設定した後に前記通信装置から停止要求を受信すると、前記データチャネルおよび前記制御チャネルのうち前記データチャネルの信号送信のみを停止させる制御部と、
を有することを特徴とする無線基地局。
【０１７７】
（付記１１）  前記制御部は、前記停止要求に応答して、前記データチャネルを切断することを特徴とする付記１０記載の無線基地局。
（付記１２）  前記制御部は、前記停止要求に応答して、前記データチャネルの割り当て帯域をゼロに設定することを特徴とする付記１０記載の無線基地局。
【０１７８】
（付記１３）  移動局との間で無線通信を行う複数の無線基地局と前記移動局が前記複数の無線基地局に並列に送信したデータを受信して集約する通信装置とを備える無線通信システムの通信方法において、
前記複数の無線基地局から前記通信装置への各伝送経路について前記通信装置がデータを受信するためのデータチャネルおよび制御チャネルを含む通信チャネルを設定し、
前記通信チャネルが設定された複数の伝送経路からメイン経路を選択し、
選択されなかった伝送経路について、前記データチャネルおよび前記制御チャネルのうち前記データチャネルのみ前記通信装置への信号送信を停止させる、
ことを特徴とする通信方法。
【図面の簡単な説明】
【０１７９】
【図１】本実施の形態の概要を示す図である。
【図２】本実施の形態のシステム構成を示す図である。
【図３】無線基地局の機能を示すブロック図である。
【図４】ＲＮＣの機能を示すブロック図である。
【図５】ブランチテーブルのデータ構造を示す図である。
【図６】制御モードテーブルのデータ構造を示す図である。
【図７】ブランチ追加処理の流れを示すシーケンス図である。
【図８】ブランチ削除処理の流れを示すシーケンス図である。
【図９】Ｄ−ＲＮＣ経由のブランチ追加処理の流れを示すシーケンス図である。
【図１０】Ｄ−ＲＮＣ経由のブランチ削除処理の流れを示すシーケンス図である。
【図１１】ＤＴＣＨ制御のＳ−ＲＮＣ側処理の流れを示すフローチャートである。
【図１２】ＤＴＣＨ制御のＤ−ＲＮＣ側処理の流れを示すフローチャートである。
【図１３】第１のＤＴＣＨ切断時のＳ−ＲＮＣの内部制御を示す図である。
【図１４】第１のＤＴＣＨ切断時のＤ−ＲＮＣの内部制御を示す図である。
【図１５】第１のＤＴＣＨ帯域削減時のＤ−ＲＮＣの内部制御を示す図である。
【図１６】第１の流入規制時のＳ−ＲＮＣの内部制御を示す図である。
【図１７】第１の流入規制時のＤ−ＲＮＣの内部制御を示す図である。
【図１８】第１のＤＴＣＨ制御実行後のパケットの流れを示す模式図である。
【図１９】第２のＤＴＣＨ切断時のＳ−ＲＮＣの内部制御を示す図である。
【図２０】第２のＤＴＣＨ切断時の無線基地局の内部制御を示す図である。
【図２１】第２のＤＴＣＨ帯域削減時の無線基地の内部制御を示す図である。
【図２２】第２の流入規制時のＳ−ＲＮＣの内部制御を示す図である。
【図２３】第２のＤＴＣＨ制御実行後のパケットの流れを示す模式図である。
【図２４】第３のＤＴＣＨ制御実行後のパケットの流れを示す模式図である。
【符号の説明】
【０１８０】
１  通信装置
１ａ  通信部
１ｂ  制御部
２  移動局
３，４，５  無線基地局
【図１】
2009212629.tif 000003
【図２】
2009212629.tif 000004
【図３】
2009212629.tif 000005
【図４】
2009212629.tif 000006
【図５】
2009212629.tif 000007
【図６】
2009212629.tif 000008
【図７】
2009212629.tif 000009
【図８】
2009212629.tif 000010
【図９】
2009212629.tif 000011
【図１０】
2009212629.tif 000012
【図１１】
2009212629.tif 000013
【図１２】
2009212629.tif 000014
【図１３】
2009212629.tif 000015
【図１４】
2009212629.tif 000016
【図１５】
2009212629.tif 000017
【図１６】
2009212629.tif 000018
【図１７】
2009212629.tif 000019
【図１８】
2009212629.tif 000020
【図１９】
2009212629.tif 000021
【図２０】
2009212629.tif 000022
【図２１】
2009212629.tif 000023
【図２２】
2009212629.tif 000024
【図２３】
2009212629.tif 000025
【図２４】
2009212629.tif 000026